【手続補正書】
【提出日】平成19年10月17日(2007.10.17)
【手続補正１】
【補正対象書類名】特許請求の範囲
【補正対象項目名】全文
【補正方法】変更
【補正の内容】
【特許請求の範囲】
【請求項１】
コンテンツを記録する記録装置であって、
可搬型記録媒体が着脱自在に取り付けられるドライブユニットと、
代替記録用記録媒体と、
コンテンツの記録先となる可搬型記録媒体を指定する指定情報を取得する取得手段と、
前記コンテンツの記録の際に、前記指定情報により指定されている可搬型記録媒体がドライブユニットに取り付けられている場合、当該可搬型記録媒体へコンテンツを記録し、前記指定情報により指定されている可搬型記録媒体がドライブユニットに取り付けられていない場合、代替記録用記録媒体へコンテンツを記録する記録制御手段と、
代替記録用記録媒体へコンテンツが記録された後に、前記指定情報により指定されている可搬型記録媒体のドライブユニットへの取り付け検知をトリガとして、前記記録されたコンテンツを前記取り付けられた可搬型記録媒体へダビングするダビング制御手段と
を備えることを特徴とする記録装置。
【請求項２】
前記指定情報は、可搬型記録媒体を一意に識別する識別情報により、可搬型記録媒体を指定し、
前記記録制御手段は、ドライブユニットに取り付けられている可搬型記録媒体が、前記識別情報により識別される可搬型記録媒体である場合に、指定の可搬型記録媒体であると判定する
ことを特徴とする請求項１に記載の記録装置。
【請求項３】
前記可搬型記録媒体には、固有の識別情報が記録されており、
前記記録制御手段における判定は、ドライブユニットに取り付けられている可搬型記録媒体に記録された識別情報と、前記指定情報が示す識別情報との比較によりなされる
ことを特徴とする請求項２に記載の記録装置。
【請求項４】
前記指定情報は、１以上の可搬型記録媒体からなるグループを識別する識別情報により、可搬型記録媒体を指定し、
前記記録制御手段は、ドライブユニットに取り付けられている可搬型記録媒体が、前記識別情報により識別されるグループに含まれる可搬型記録媒体である場合に、指定の可搬型記録媒体であると判定する
ことを特徴とする請求項１に記載の記録装置。
【請求項５】
前記可搬型記録媒体には、所属するグループを識別する識別情報が記録されており、
前記記録制御手段における判定は、ドライブユニットに取り付けられている可搬型記録媒体に記録された識別情報と、前記指定情報が示す識別情報との比較によりなされる
ことを特徴とする請求項４に記載の記録装置。
【請求項６】
前記グループに含まれる可搬型記録媒体のリストを保持するリスト保持手段を更に備え、
前記記録制御手段における判定は、前記リストに基づいてなされる
ことを特徴とする請求項４に記載の記録装置。
【請求項７】
前記取得手段は、さらに、前記コンテンツが放送番組として放送される時刻を示す時刻情報を取得し、
前記記録制御手段によるコンテンツの記録は、前記時刻情報により示される時刻に実行される
ことを特徴とする請求項１に記載の記録装置。
【請求項８】
前記取得手段は、前記コンテンツの録画予約のためにユーザにより設定される情報に基づいて、前記指定情報、及び前記時刻情報を取得する
ことを特徴とする請求項７に記載の記録装置。
【請求項９】
前記指定情報は、１つの可搬型記録媒体を指定し、
当該可搬型記録媒体には、前記コンテンツの記録を指示する予約情報が記録されており、
前記予約情報は、前記時刻情報を含み、
前記取得手段は、前記予約情報が可搬型記録媒体から読み出された場合に、当該可搬型記録媒体を指定する前記指定情報と、前記予約情報に含まれる時刻情報とを取得する
ことを特徴とする請求項７に記載の記録装置。
【請求項１０】
前記時刻情報により示される時刻より後の時点で、前記予約情報が記録されている可搬型記録媒体、及び代替記録用記録媒体の何れにも前記コンテンツが記録されていない場合、前記可搬型記録媒体において前記コンテンツの記録のために確保されている領域を解放する領域解放手段を更に備える
ことを特徴とする請求項９に記載の記録装置。
【請求項１１】
前記予約情報が記録されている可搬型記録媒体から前記記録情報が削除された場合、当該可搬型記録媒体において前記コンテンツの記録のために確保されている領域を解放する領域解放手段を更に備える
ことを特徴とする請求項９に記載の記録装置。
【請求項１２】
前記コンテンツは、自装置と通信可能な外部機器から受信する通信データに含まれる画像データであり、
前記取得手段は、前記指定情報を前記通信データから取得し、
前記記録制御手段によるコンテンツの記録は、前記外部機器から前記通信データが受信された場合に実行される
ことを特徴とする請求項１に記載の記録装置。
【請求項１３】
指定できる可搬型記録媒体を示すリストを保持するリスト保持手段と、
前記リストに含まれる可搬型記録媒体を、前記外部機器へ通知する通知手段とを更に備える
ことを特徴とする請求項１２に記載の記録装置。
【請求項１４】
前記代替記録用記録媒体にコンテンツが記録された場合、ユーザに警告を提示する提示手段を更に備える
ことを特徴とする請求項１に記載の記録装置。
【請求項１５】
前記提示手段により提示される警告は、前記指定情報により指定されている可搬型記録媒体を、ドライブユニットに取り付けることを促すことによりなされる
ことを特徴とする請求項１４に記載の記録装置。
【請求項１６】
１以上の可搬型記録媒体を示すリストを保持するリスト保持手段を更に備え、
前記提示手段は、前記指定情報により指定されている可搬型記録媒体が前記リストに含まれている可搬型記録媒体であれば、当該可搬型記録媒体の取り付けを促す警告を提示し、前記指定情報により指定されている可搬型記録媒体が前記リストに含まれていなければ、新たな可搬型記録媒体の取り付けを促す警告を提示する
ことを特徴とする請求項１４に記載の記録装置。
【請求項１７】
可搬型記録媒体が着脱自在に取り付けられるドライブユニットと代替記録用記録媒体とを有する記録装置の集積回路であって、
コンテンツの記録先となる可搬型記録媒体を指定する指定情報を取得する取得手段と、
前記コンテンツの記録の際に、前記指定情報により指定されている可搬型記録媒体がドライブユニットに取り付けられている場合、当該可搬型記録媒体へコンテンツを記録し、前記指定情報により指定されている可搬型記録媒体がドライブユニットに取り付けられていない場合、代替記録用記録媒体へコンテンツを記録する記録制御手段と、
代替記録用記録媒体へコンテンツが記録された後に、前記指定情報により指定されている可搬型記録媒体のドライブユニットへの取り付け検知をトリガとして、前記記録されたコンテンツを前記取り付けられた可搬型記録媒体へダビングするダビング制御手段と
を備えることを特徴とする集積回路。
【請求項１８】
可搬型記録媒体が着脱自在に取り付けられるドライブユニットと代替記録用記録媒体とを有するコンピュータにおいて実行されるコンピュータプログラムであって、
コンピュータに、コンテンツの記録先となる可搬型記録媒体を指定する指定情報を取得させるプログラムコードと、
前記指定情報により指定されている可搬型記録媒体がドライブユニットに取り付けられている場合、コンピュータに当該可搬型記録媒体へコンテンツを記録させ、前記指定情報により指定されている可搬型記録媒体がドライブユニットに取り付けられていない場合、コンピュータに代替記録用記録媒体へコンテンツを記録させるプログラムコードと、
代替記録用記録媒体へコンテンツが記録された後に前記指定情報により指定されている可搬型記録媒体のドライブユニットへの取り付け検知をトリガとして、コンピュータに、前記記録されたコンテンツを前記取り付けられた可搬型記録媒体へダビングさせるプログラムコードと
を含むことを特徴とするコンピュータプログラム。
【請求項１９】
可搬型記録媒体が着脱自在に取り付けられるドライブユニットと代替記録用記録媒体とを有する記録装置におけるコンテンツの記録方法であって、
コンテンツの記録先となる可搬型記録媒体を指定する指定情報の取得と、
前記指定情報により指定されている可搬型記録媒体がドライブユニットに取り付けられている場合における、当該可搬型記録媒体へのコンテンツの記録と、
前記指定情報により指定されている可搬型記録媒体がドライブユニットに取り付けられていない場合における、代替記録用記録媒体へのコンテンツの記録と、
代替記録用記録媒体へコンテンツが記録された後に、前記指定情報により指定されている可搬型記録媒体のドライブユニットへの取り付け検知をトリガとする、当該取り付けられた可搬型記録媒体への前記記録されたコンテンツのダビングと
を含むことを特徴とする記録方法。
【請求項２０】
記録媒体であって、
コンテンツの記録を記録装置に指示する予約情報が記録されており、
前記予約情報は、
前記コンテンツが放送される放送番組を特定する番組情報と、
前記記録装置に前記コンテンツの記録先として当該記録媒体を指定する指定情報と、
前記コンテンツのみ記録が許可される予約領域を示す領域情報とを含む
ことを特徴とする記録媒体。
【手続補正２】
【補正対象書類名】明細書
【補正対象項目名】０００９
【補正方法】変更
【補正の内容】
【０００９】
上記目的を達成するために、本発明に係る記録装置は、可搬型記録媒体が着脱自在に取り付けられるドライブユニットと、代替記録用記録媒体と、コンテンツの記録先となる可搬型記録媒体を指定する指定情報を取得する取得手段と、前記コンテンツの記録の際に、前記指定情報により指定されている可搬型記録媒体がドライブユニットに取り付けられている場合、当該可搬型記録媒体へコンテンツを記録し、前記指定情報により指定されている可搬型記録媒体がドライブユニットに取り付けられていない場合、代替記録用記録媒体へコンテンツを記録する記録制御手段と、代替記録用記録媒体へコンテンツが記録された後に、前記指定情報により指定されている可搬型記録媒体のドライブユニットへの取り付け検知をトリガとして、前記記録されたコンテンツを前記取り付けられた可搬型記録媒体へダビングするダビング制御手段とを備えることを特徴とする。
【手続補正３】
【補正対象書類名】明細書
【補正対象項目名】００３３
【補正方法】変更
【補正の内容】
【００３３】
上記目的を達成するために、本発明に係る記録装置の集積回路は、可搬型記録媒体が着脱自在に取り付けられるドライブユニットと代替記録用記録媒体とを有する記録装置の集積回路であって、コンテンツの記録先となる可搬型記録媒体を指定する指定情報を取得する取得手段と、前記コンテンツの記録の際に、前記指定情報により指定されている可搬型記録媒体がドライブユニットに取り付けられている場合、当該可搬型記録媒体へコンテンツを記録し、前記指定情報により指定されている可搬型記録媒体がドライブユニットに取り付けられていない場合、代替記録用記録媒体へコンテンツを記録する記録制御手段と、代替記録用記録媒体へコンテンツが記録された後に、前記指定情報により指定されている可搬型記録媒体のドライブユニットへの取り付け検知をトリガとして、前記記録されたコンテンツを前記取り付けられた可搬型記録媒体へダビングするダビング制御手段とを備えることを特徴とする。
【手続補正４】
【補正対象書類名】明細書
【補正対象項目名】００３６
【補正方法】変更
【補正の内容】
【００３６】
上記目的を達成するために、本発明に係るコンピュータプログラムは、可搬型記録媒体が着脱自在に取り付けられるドライブユニットと代替記録用記録媒体とを有するコンピュータにおいて実行されるコンピュータプログラムであって、コンピュータに、コンテンツの記録先となる可搬型記録媒体を指定する指定情報を取得させるプログラムコードと、前記指定情報により指定されている可搬型記録媒体がドライブユニットに取り付けられている場合、コンピュータに当該可搬型記録媒体へコンテンツを記録させ、前記指定情報により指定されている可搬型記録媒体がドライブユニットに取り付けられていない場合、コンピュータに代替記録用記録媒体へコンテンツを記録させるプログラムコードと、代替記録用記録媒体へコンテンツが記録された後に前記指定情報により指定されている可搬型記録媒体のドライブユニットへの取り付け検知をトリガとして、コンピュータに、前記記録されたコンテンツを前記取り付けられた可搬型記録媒体へダビングさせるプログラムコードとを含むことを特徴とする。
【手続補正５】
【補正対象書類名】明細書
【補正対象項目名】００３９
【補正方法】変更
【補正の内容】
【００３９】
上記目的を達成するために、本発明に係る記録方法は、可搬型記録媒体が着脱自在に取り付けられるドライブユニットと代替記録用記録媒体とを有する記録装置におけるコンテンツの記録方法であって、コンテンツの記録先となる可搬型記録媒体を指定する指定情報の取得と、前記指定情報により指定されている可搬型記録媒体がドライブユニットに取り付けられている場合における、当該可搬型記録媒体へのコンテンツの記録と、前記指定情報により指定されている可搬型記録媒体がドライブユニットに取り付けられていない場合における、代替記録用記録媒体へのコンテンツの記録と、代替記録用記録媒体へコンテンツが記録された後に、前記指定情報により指定されている可搬型記録媒体のドライブユニットへの取り付け検知をトリガとする、当該取り付けられた可搬型記録媒体への前記記録されたコンテンツのダビングとを含むことを特徴とする。